(57)【要約】【課題】便座支持体から便座を簡単に分離できる暖房便座装置。【解決手段】便座支持体３と、便座支持体３に接合・分離自在且つ揺動自在に支持されヒータ５を設けた便座６と、便座支持体側に設けた一次コイル２１及び便座側に設けた二次コイル２２を有する給電手段７とを備え、便座支持体３は、揺動先端側に便座支持体側継手部１２を設けた揺動自在な左右の便座支持用腕部１０（１１）を備え、便座６は、便座支持体側継手部１２と対となる左右の便座側継手部１３を備え、給電手段７は、一次コイル２１を左右の便座支持用腕部１０（１１）の少なくとも一方に設けると共に二次コイル２２を便座６に設け、便座支持体側継手部１２，１２及び便座側継手部１３，１３を接合したときに両コイルが近接して両コイルに相互誘導を生じさせることでヒータ５へ給電する。【選択図】図１
2009189465.tif 000002
【特許請求の範囲】
【請求項１】
便座支持体と、便座支持体に接合・分離自在且つ揺動自在に支持されヒータを設けた便座と、便座支持体側に設けた一次コイル及び便座側に設けた二次コイルを有する給電手段とを備え、便座支持体に便座を接合したときに両コイルが近接して両コイルに相互誘導を生じさせることでヒータへ給電する暖房便座装置において、便座支持体は、揺動先端側に便座支持体側継手部を設けた揺動自在な左右の便座支持用腕部を備え、便座は、左右の便座支持用腕部の便座支持体側継手部と対となる左右の便座側継手部を備え、給電手段は、一次コイルを左右の便座支持用腕部の少なくとも一方に設けると共に二次コイルを便座に設け、便座支持体側継手部及び便座側継手部を接合したときに両コイルが近接することを特徴とする暖房便座装置。
【請求項２】
前記便座は、座部の後端側から突出する左右の接合用腕部を設けると共に、左右の接合用腕部の先端側に前記便座側継手部を設け、前記給電手段は、便座の接合用腕部に二次コイルを設けた請求項１記載の暖房便座装置。
【請求項３】
前記便座は、座部の後端側に左右の腕接合部を設けると共に、左右の腕接合部に前記便座側継手部を備え、前記給電手段は、便座の腕接合部に二次コイルを設けた請求項１記載の暖房便座装置。
【発明の詳細な説明】
【技術分野】
【０００１】
本発明は、便座支持体に対し電気ヒータ内蔵の便座を着脱できるものであって、便座支持体と便座を電気コードで接合しない暖房便座装置に関するものである。
【背景技術】
【０００２】
従来、便座支持体と暖房便座を電気コードで接合しない暖房便座装置は、特許文献１の図８に示す如く、便座支持体の軸受部に一次コイルを組み込むと共に暖房便座の軸受部に二次コイルを組み込み、便座支持体に暖房便座を装着するときには、同芯とした両軸受部へ枢軸を差し込んで便座を揺動自在にすると共に両コイルに挿入した枢軸からなる鉄心で両コイルに相互誘導を生じさせるように両コイルを磁気結合して電気ヒータヘ給電できるようにし、また、便座支持体から暖房便座本体を離脱すときには、枢軸を抜き取って両者を分離するようにしてある。
【特許文献１】特開平９−６５５８９号公報
【発明の開示】
【発明が解決しようとする課題】
【０００３】
従来の暖房便座装置は、便座支持体に対し便座を着脱するとき、両軸受部に同芯状態で鉄心となる枢軸を抜き差しする手間と、抜き取った鉄心となる枢軸を紛失しないように留意する煩わしさがあった。
【０００４】
本発明は、上記問題を解決するために、抜き差しする鉄心となる枢軸を無くして便座支持体から便座を簡単に分離できる暖房便座装置の提供を目的とする。
【課題を解決するための手段】
【０００５】
請求項１記載の本発明が採用した手段は、便座支持体と、便座支持体に接合・分離自在且つ揺動自在に支持されヒータを設けた便座と、便座支持体側に設けた一次コイル及び便座側に設けた二次コイルを有する給電手段とを備え、便座支持体に便座を接合したときに両コイルが近接して両コイルに相互誘導を生じさせることでヒータへ給電する暖房便座装置において、便座支持体は、揺動先端側に便座支持体側継手部を設けた揺動自在な左右の便座支持用腕部を備え、便座は、左右の便座支持用腕部の便座支持体側継手部と対となる左右の便座側継手部を備え、給電手段は、一次コイルを左右の便座支持用腕部の少なくとも一方に設けると共に二次コイルを便座に設け、便座支持体側継手部及び便座側継手部を接合したときに両コイルが近接することを特徴とする暖房便座装置である。
【０００６】
請求項２記載の本発明が採用した手段は、前記便座は、座部の後端側から突出する左右の接合用腕部を設けると共に、左右の接合用腕部の先端側に前記便座側継手部を設け、前記給電手段は、便座の接合用腕部に二次コイルを設けた請求項１記載の暖房便座装置である。
【０００７】
請求項３記載の本発明が採用した手段は、前記便座は、座部の後端側に左右の腕接合部を設けると共に、左右の腕接合部に前記便座側継手部を備え、前記給電手段は、便座の腕接合部に二次コイルを設けた請求項１記載の暖房便座装置である。
【発明の効果】
【０００８】
便座支持体及び便座は、便座支持体側継手部及び便座側継手部を接合することで、便座が便座支持体に揺動自在に支持されると共に、給電手段が一次コイル及び二次コイルを近接させてヒータへ給電できる状態となる。また、便座支持体及び便座は、便座支持体側継手部及び便座側継手部を分離することで、便座が便座支持体から分離されると共に、給電手段が一次コイル及び二次コイルを離反させてヒータへの給電を停止する状態となる。本発明の暖房便座装置は、従来の抜き差しする鉄心となる枢軸を無くすることができ、便座支持体から便座を簡単に着脱させることができる。
【発明を実施するための最良の形態】
【０００９】
本発明に係る暖房便座装置（以下、「本発明装置」と言う。）を図面に示す実施形態に基づいて説明する。
【００１０】
（第１の実施の形態）
図１乃至図５は本発明装置の第１の実施の形態を示すものであり、図１は本発明装置１の全体を示す平面図である。図２は要部を拡大した左側面図であって、伏倒状態の便座６を実線で示すと共に起立状態の便座６を二点鎖線で示すものである。図３は便器支持体３から便座６を分離した状態を示す本発明装置１の平面図である。図４は接合状態の便座支持体側継手部１２及び便座側継手部１３の近辺を拡大して部分断面した左側面図、図５は分離状態の便座支持体側継手部１２及び便座側継手部１３の近辺を拡大して部分断面した左側面図である。
【００１１】
本発明便座装置１は、図１乃至図３に示す如く、便座支持体３と、便座支持体３に接合・分離自在且つ揺動自在に支持され、座部４にヒータ５を設けた便座６と、便座支持体３から便座６へ給電してヒータ５を昇温させる給電手段７を備え、便器本体２（図２参照）に便座支持体３を取付け固定して用いられる。なお、本発明便座装置１は、便蓋（図示略）を便座支持体３に揺動自在に取付けることもある。
【００１２】
前記便座支持体３は、便器本体２（図２参照）に取付け固定される本体部９と、本体部９の左右両側から揺動自在に延設した左右の便座支持用腕部１０，１１を備え、各便座支持用腕部１０（１１）の揺動先端側に便座支持体側継手部１２（図３参照）を設けてある。便座支持体３は、本体部９と各便座支持用腕部１０（１１）の間に設けた軸及び軸受等からなる枢支手段（図示略）で、本体部９に各便座支持用腕部１０（１１）を揺動自在に枢支してある。
【００１３】
前記便座６は、便座支持体３の左右の便座支持体側継手部１２，１２と対となる左右の便座側継手部１３，１３を、座部４の後端側（便座支持体３と対面する側）に備えている。本実施の形態に係る便座６は、座部４の後端側から突出する左右の接合用腕部１４，１５を設けると共に、各接合用腕部１４（１５）の先端側に便座側継手部１３を設けてある。
【００１４】
前記便座支持体３の左右の便座支持用腕部１０，１１に設けた便座支持体側継手部１２，１２と便座６の左右の接合用腕部１４，１５に設けた便座側継手部１３，１３とは、左右の対となる継手１２，１３（１２，１３）を同時に接合状態とすることで便座支持体３に便座６を接合させ、また、同時に分離状態とすることで便座支持体３から便座６を分離させることができる。前記便座支持体側継手部１２及び便座側継手部１３は、接合・分離させることがてきる構造が適宜採用され、例えば、図４及び図５に示す如く、便座支持体側継手部１２に形成した凸部１２ａ（図５参照）に便座側継手部１３に形成した凹部１３ａ（図５参照）を嵌合してガタツキの無い状態で両継手部を接合させ、逆に凸部１２ａを凹部１３ａから引き抜いて両継手部を分離させる構造が適用できる。両継手部１２，１３は、接合状態を維持させるロック機構１６を備え、ロック機構１６を解除しない限り分離できないようにしてある。ロック機構１６は、例えば、係合方向（図４に示す矢符Ａ方向）へバネ付勢した係合ピン１６ａと、係合ピン１６ａが係合する係合穴１６ｂとからなり、係合穴１６ｂに差し込まれたロック状態の係合ピン１６ａを、バネ付勢力に抗して押圧して係合穴１６ｂから抜き去ることで解除するようにしてある。
【００１５】
前記給電手段７は、図１に示す如く、便座支持体３の本体部９に設けた制御器１７と、制御器１７と便座ヒータ５の端子盤を接続する給電用配線１８と、給電用配線１８の途中に設けた一次コイル２１及び二次コイル２２を備えている。給電手段７は、一次コイル２１を左右の便座支持用腕部１０，１１の少なくとも一方（図１の場合は、左側の便座支持用腕部１０）に設けると共に、二次コイル２２を便座６の左右の接合用腕部１４，１５の一方（図１の場合は、左側の接合用腕部１４）に設け、左右の便座支持体側継手部１２，１２と左右の便座側継手部１３，１３を接合したときに両コイル２１，２２を近接させて磁気結合状態とし、両コイル２１，２２に生じる相互誘導でヒータ５ヘ給電するようにしてある。両コイル２１，２２の設置構造は、本実施の形態においては、便座支持体側継手部１２に一次コイル２１を設けると共に、便座側継手部１３に二次コイル２２を設け、両継手部１２，１３を接合したときに、両コイル２１，２２の近接箇所を両継手部１２，１３で覆い隠して露出させないようにしてある。なお、両コイル２１，２２の設置構造は、上記以外に図示は省略したが、便座支持用腕部１０（又は１１）に便座支持体側継手部１２とは別に設けたコイル収納部に一次コイル２１を収納すると共に、接合用腕部１４（又は１５）に便座側継手部１３とは別に設けたコイル収納部に二次コイル２２を収納し、両継手部１２，１３を接合したときに、両コイル２１，２２を近接させると共に近接箇所を両コイル収納部で覆い隠して露出させないようにすることもある。
【００１６】
前記一次コイル２１は、図４に示す如く、左右に延びる横断面四角形の中間部２３ａの左右両端から左右の腕部２３ｂ，２３ｂ（図４は左の腕部２３ｂのみを示す）を突設したコ字状の鉄心２３と、鉄心２３の中間部２３ａに巻回した巻線２４とからなる。前記二次コイル２２は、一次コイル２１と同様に、コ字状の鉄心２５と、鉄心２５の中間部２５ａに巻回した巻線２６とからなる。両コイル２１，２２は、鉄心２３，２５の腕部２３ｂ，２３ｂ（２５ｂ，２５ｂ）どうしを近接させることで、相互誘導を生じさせてヒータ５ヘ給電する状態になる。
【００１７】
本発明便座装置１は、便座６の座部４の温度を測定して前記給電手段７の制御器１７に測定信号を送信する便座温度測定手段２７を備え、測定信号を受信した給電手段７の制御器１７がヒータ５ヘの給電量を制御して、座部４の温度を設定温度とするようにしてある。便座温度測定手段２７は、座部４に設けた温度センサ２８と、温度センサ２８の測定信号発振回路３３から延びて制御器１７に併設した測定信号受信回路３４に接続する信号用配線２９とを有し、信号用配線２９の途中を一次コイル３１及び二次コイル３２で形成してある。便座温度測定手段２７は、一次コイル３１を便座支持用腕部１１に設けると共に二次コイル３２を便座６の接合用腕部１５に設け、左右の便座支持体側継手部１２，１２及び左右の便座側継手部１３，１３を接合したときに両コイル３１，３２を近接させて磁気結合状態とし、両コイル３１，３２に生じる相互誘導で測定信号電気を測定信号受信回路３４へ送電することになる。
【００１８】
前記便座６は、丸洗い洗浄できるように防水構造が施され、便座６に設けられた給電手段７の部分、便座温度測定手段２７の部分及びヒータ５への洗浄水の浸入を阻止して漏電しないようにしてある。
【００１９】
本発明装置１は、便座支持体３の左右の便座支持用腕部１０（１１）に設けた便座支持体側継手部１２（１２）及び便座６の左右の接合用腕部１４（１５）の便座側継手部１３（１３）を接合することで、便座支持体３に便座６を揺動自在に支持できると共に、給電手段７の一次コイル２１及び二次コイル２２を近接させてヒータ５へ給電できる状態となる。また、本発明装置１は、便座支持体側継手部１２（１２）及び便座側継手部１３（１３）を分離することで、便座支持体３から便座６を分離できると共に、給電手段７の一次コイル２１及び二次コイル２２を離反させてヒータ５への給電を停止する状態となる。本発明装置１は、便座支持体側継手部１２（１２）及び便座側継手部１３（１３）を接合・分離することで、一次コイル２１及び二次コイル２２を近接・離反さることができるので、従来装置が必要とした抜き差しする鉄心となる枢軸を無くすることができ、便座支持体３から便座６を簡単に着脱させることができる。
【００２０】
（第２の実施の形態）
図６乃至図８は本発明装置の第２の実施の形態を示すものであり、図６は本発明装置４１の全体を示す平面図、図７は要部を拡大した左側面図であって、伏倒状態の便座４６を実線で示すと共に起立状態の便座４６を二点鎖線で示すものである。図８は分離状態の便座支持体側継手部１２及び便座側継手部１３の近辺を拡大して部分断面した左側面図である。
【００２１】
本実施の形態に係る本発明装置４１は、便座４６の座部４４の後端側に左右の腕接合部５４（５５）を設けると共に、左右の腕接合部５４（５５）の各々に便座側継手部１３（図８参照）を備え、便座４６の腕接合部５４に給電手段７の二次コイル２２を設けた点で前記第１の実施の形態の本発明装置１（図１乃至図５参照）と大きく異なり、その他の部分については第１の実施の形態の本発明装置１と実質的に同一であり、図６乃至図８において図１乃至図５と同一符号は相当部分を示す。
【００２２】
本発明装置４１は、便座支持体３の左右の便座支持用腕部１０（１１）に設けた便座支持体側継手部１２（１２）及び便座４６の左右の腕接合部５４（５５）に設けた便座側継手部１３（１３）を接合することで、便座支持体３に便座４６を揺動自在に支持できると共に、給電手段７の一次コイル２１及び二次コイル２２を近接させてヒータ５へ給電できる状態となる。また、本発明装置４１は、便座支持体側継手部１２（１２）及び便座側継手部１３（１３）を分離することで、便座支持体３から便座４６を分離できると共に、給電手段７の一次コイル２１及び二次コイル２２を離反させてヒータ５への給電を停止する状態となる。本発明装置４１は、便座支持体側継手部１２（１２）及び便座側継手部１３（１３）を接合・分離することで、一次コイル２１及び二次コイル２２を近接・離反さることができるので、従来装置が必要とした抜き差しする鉄心となる枢軸を無くすることができ、便座支持体３から便座４６を簡単に着脱させることができる。
【図面の簡単な説明】
【００２３】
【図１】本発明装置の第１の実施の形態を示すものであって、本発明装置の全体を示す平面図である。
【図２】同実施の形態の要部を拡大した左側面図であって、伏倒状態の便座を実線で示すと共に起立状態の便座を二点鎖線で示すものである。
【図３】同実施の形態において便器支持体から便座を分離した状態を示す本発明装置の平面図である。
【図４】同実施の形態における接合状態の便座支持体側継手部及び便座側継手部の近辺を拡大して部分断面した左側面図である。
【図５】同実施の形態における分離状態の便座支持体側継手部及び便座側継手部の近辺を拡大して部分断面した左側面図である。
【図６】本発明装置の第２の実施の形態を示すものであって、本発明装置の全体を示す平面図である。
【図７】同実施の形態の要部を拡大した左側面図であって、伏倒状態の便座を実線で示すと共に起立状態の便座を二点鎖線で示すものである。
【図８】同実施の形態における分離状態の便座支持体側継手部及び便座側継手部の近辺を拡大して部分断面した左側面図である。
【符号の説明】
【００２４】
２…便器本体、３…便座支持体、５…ヒータ、６…便座、７…給電手段、１０（１１）…便座支持用腕部、１２…便座支持体側継手部、１３…便座側継手部、１４（１５）４接合用腕部、２１…一次コイル、２２…二次コイル
【図１】
2009189465.tif 000003
【図２】
2009189465.tif 000004
【図３】
2009189465.tif 000005
【図４】
2009189465.tif 000006
【図５】
2009189465.tif 000007
【図６】
2009189465.tif 000008
【図７】
2009189465.tif 000009
【図８】
2009189465.tif 000010